(57)【特許請求の範囲】
【請求項１】
レーザ光をディスクに照射して情報の読み取りを行うディスク再生装置であって、
ディスクを駆動させる第１駆動部と、
レーザダイオードに駆動電流を供給する第２駆動部と、
レーザダイオードの駆動電流に高周波電流を重畳する高周波重畳部と、
所定のサンプリング周期でジッタを計測する計測部と、
前記計測部によるジッタ計測値に応じて、前記高周波重畳部による高周波電流の重畳のオンオフを制御する重畳制御部と、を備え、
前記重畳制御部は、前記高周波重畳部による高周波電流を駆動電流に重畳させるか否かを判定するための条件に利用する第１閾値と、高周波電流の駆動電流への重畳を停止させるか否かを判定するための条件に利用する第２閾値とを保持し、第１閾値は第２閾値よりも大きいものであって、
前記重畳制御部は、
ジッタ計測値が第１閾値以下の値から第１閾値より大きくなった場合に、レーザダイオードの駆動電流に高周波電流を重畳させるように前記高周波重畳部を制御し、
ジッタ計測値が第２閾値以上の値から第２閾値より小さくなり、且つ第２閾値より小さい値が所定回数計測された場合に、高周波電流の駆動電流への重畳を停止させるように前記高周波重畳部を制御することを特徴とするディスク再生装置。
【請求項２】
第１閾値は、高周波電流の重畳オフ時において取得されるジッタの平均値よりも大きい値に設定されることを特徴とする請求項１に記載のディスク再生装置。
【請求項３】
第２閾値は、高周波電流の重畳オン時において取得されるジッタの平均値よりも大きい値に設定されることを特徴とする請求項１または２に記載のディスク再生装置。
【請求項４】
前記計測部は、ジッタの複数のサンプリング値を平均化してジッタ計測値を算出することを特徴とする請求項１から３のいずれかに記載のディスク再生装置。
【請求項５】
ディスクからの反射光を検出して、ディスクに記録された情報の読取信号を前記計測部に供給する光検出器をさらに備え、
前記計測部は、前記光検出器による記録情報の読取処理の前に、ジッタ計測値を、第１閾値に設定することを特徴とする請求項４に記載のディスク再生装置。
【請求項６】
前記計測部は、ジッタ計測値を更新可能であるか否かを判定し、更新不能である場合には、ジッタ計測値を第１閾値に設定するとともに、更新済みフラグをオフに設定し、一方で、更新可能である場合には、平均化処理により新たなジッタ計測値を算出するとともに、更新済みフラグをオンに設定することを特徴とする請求項５に記載のディスク再生装置。
【請求項７】
当該ディスク再生装置は、携帯端末であることを特徴とする請求項１から６のいずれかに記載のディスク再生装置。
【発明の詳細な説明】
【技術分野】
【０００１】
本発明は、光ディスクや光磁気ディスクなどの記録媒体にレーザ光を照射して情報を読み取る際に、レーザダイオードの駆動電流に高周波電流を重畳させる技術に関する。
【背景技術】
【０００２】
一般に光ディスクや光磁気ディスクの情報を読み取るために、光ピックアップ用レーザダイオードが使用される。レーザダイオードからの出射光は、対物レンズにより集光されて光ディスクに照射され、光ディスクから反射されるが、このとき反射光の一部がレーザダイオードに戻ることで発振モードが変化して、戻り光ノイズが発生する。この戻り光ノイズは光ピックアップの読取信号に悪影響をあたえる。このノイズを低減するために、レーザダイオードの駆動電流に数百ＭＨｚの高周波電流を重畳する制御が行われる。
【０００３】
従来、光磁気ディスク装置において、記録モードから再生モードへの切替があった場合に、レーザ出力を低出力に切り替えてレーザ出力が完全に低くなった後に、高周波重畳回路をオンにする制御手法が提案されている（たとえば、特許文献１参照）。特許文献１は、この制御により、高周波重畳回路のオンオフの切替ノイズが、読取処理に悪影響を生じさせないようにすることを目的としている。また、ディスク挿入時にジッタまたはブロックエラーレートを計測して、レーザダイオードの駆動電流に重畳する高周波電流の周波数と振幅を設定し、以後は、設定した値を用いてディスクの読出を行う技術を提案するものもある（たとえば、特許文献２参照）。
【特許文献１】特開平７−２１０９０９号公報
【特許文献２】特開２００４−１１０９７５号公報
【発明の開示】
【発明が解決しようとする課題】
【０００４】
特許文献２の技術によると、重畳する高周波電流の周波数と振幅とを設定した後は、その設定値を変更しないため、たとえばディスクの情報読取面の一部が汚れているような場合に、その箇所の情報の読み取りがうまくいかないことがある。また、特許文献１および特許文献２ともに、再生処理（読取処理）においては、読取精度を高めるために常に高周波電流を駆動電流に重畳しているが、携帯端末装置のようなバッテリ駆動型のディスク再生装置では、この高周波重畳制御により電力を消費し、バッテリ使用可能時間が短くなるという問題もある。
【０００５】
そこで本発明は、情報の読み取りを効率的に行うことのできるディスク再生技術を提供することを目的とする。
【課題を解決するための手段】
【０００６】
上記課題を解決するために、本発明のある態様のディスク再生装置は、レーザ光をディスクに照射して情報の読み取りを行うディスク再生装置であって、ディスクを駆動させる第１駆動部と、レーザダイオードに駆動電流を供給する第２駆動部と、レーザダイオードの駆動電流に高周波電流を重畳する高周波重畳部と、所定のサンプリング周期でジッタを計測する計測部と、計測部によるジッタ計測値に応じて、高周波重畳部による高周波電流の重畳のオンオフを制御する重畳制御部とを備える。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によると、情報の読み取りを効率的に行うことのできるディスク再生技術を提供することができる。
【発明を実施するための最良の形態】
【０００９】
図１は、本発明の実施例にかかるディスク再生装置１０の構成を示す。本実施例においてディスク再生装置１０は、バッテリ駆動型の携帯端末装置として構成される。携帯端末装置は、ゲームアプリケーションを実行するゲーム装置であってもよく、また音楽や映像を再生するプレーヤ装置であってもよい。
【００１０】
ディスク再生装置１０は、処理装置２０、高周波重畳回路２２、信号読取装置２４および駆動装置２６を備え、高周波重畳技術を利用してディスク２８に記録された情報の読み取りを行う機能をもつ。ディスク２８は、たとえば光ディスクや光磁気ディスクなど、情報を記録した記録媒体であって、ディスク再生装置１０は、ディスク２８に照射したレーザ光の反射光を検出して、ディスク２８に記録された情報を読み取ることができる。処理装置２０は、信号再生部４０、駆動制御部４２、ジッタ計測部４４および重畳制御部４６を備え、ディスク再生装置１０全体の制御を実行する。
【００１１】
本実施例における処理装置２０の処理機能は、ＣＰＵ、メモリ、メモリにロードされたプログラムなどによって実現され、ここではそれらの連携によって実現される構成を描いている。プログラムは、処理装置２０に内蔵されていてもよく、また記録媒体に格納された形態で外部から供給されるものであってもよい。したがってこれらの機能ブロックがハードウェアのみ、ソフトウェアのみ、またはそれらの組合せによっていろいろな形で実現できることは、当業者に理解されるところである。
【００１２】
リアルタイム性が要求される再生処理を実行する場合、ディスク２８の記録情報の再読込を行うことが時間的に厳しいため、一回の読込処理でディスク２８の記録情報を読み取る必要がある。特に、動画信号や音声信号などを再生する場合には、高いリアルタイム性が要求されるため、ディスク再生装置１０は、効率的にディスク２８の記録情報を読み出さなければならない。
【００１３】
レーザ光を安定させて高い読取性能を実現するためには、光ピックアップ装置のレーザダイオードの駆動電流に高周波電流を常に重畳できればよいが、高周波電流の重畳制御は、消費電力を増大させる。バッテリ駆動型のディスク再生装置１０においては、省電力化を実現して、消費電力を可能なかぎり抑制することが好ましい。本実施例のディスク再生装置１０は、レーザダイオードへの駆動電流の供給と、高周波重畳回路２２による重畳電流の供給とを独立に制御することで、ディスク再生装置１０の省電力化を実現する。
【００１４】
駆動装置２６は、ディスク２８を回転駆動させる第１駆動部３０と、信号読取装置２４を駆動させる第２駆動部３２とを有する。処理装置２０の駆動制御部４２は、第１駆動部３０および第２駆動部３２のそれぞれに対して駆動制御信号を供給し、第１駆動部３０および第２駆動部３２が、駆動制御信号にしたがってディスク２８および信号読取装置２４をそれぞれ駆動する。たとえばディスク再生装置１０には、ユーザが情報再生要求を入力するための操作ボタンが設けられ、ユーザが操作ボタンを押下すると、駆動制御部４２は、情報再生要求を受け取り、受け取った再生要求に応じて第１駆動部３０および第２駆動部３２のそれぞれに駆動制御信号を供給する。
【００１５】
信号読取装置２４は光学ピックアップ装置を有して構成される。具体的に信号読取装置２４は、ディスク２８に対してレーザ光１２を照射するレーザダイオード３４を有する半導体レーザ装置と、ディスク２８からの反射光１４を検出する光検出器３６を備える。さらに信号読取装置２４は、回転するディスク２８の情報ピットにレーザのスポットを安定して追従させるためのセンシング機構と、対物レンズを動かしてレーザスポットの位置を移動させるためのアクチュエータを有して構成される。
【００１６】
第２駆動部３２は、ディスク２８からの情報の読み取り時に、レーザダイオード３４に駆動電流を供給し、レーザ光１２をディスク２８の情報読取面に照射させる。同時に、光検出器３６は、ディスク２８からの反射光１４を検出して、ディスク２８に記録された情報を読み取った読取信号を所定のサンプリング周期（たとえば５ｍ秒）で処理装置２０に供給する。
【００１７】
処理装置２０において、信号読取装置２４による読取信号は、信号再生部４０およびジッタ計測部４４に入力される。信号再生部４０は、読取信号を処理して再生信号を生成し、ディスプレイやスピーカなどの出力装置に供給する。たとえば読取信号が動画信号の場合は、ディスプレイに供給する画像信号を生成し、音楽信号の場合は、スピーカに供給する音声信号を生成する。
【００１８】
本実施例のディスク再生装置１０において、ジッタ計測部４４が、信号読取装置２４から所定のサンプリング周期で供給される読取信号のジッタを計測する。本実施例においてジッタは、繰り返し信号のタイミングのゆらぎを意味する。ジッタは、たとえば、パルスを繰り返す周期、各パルスの幅などのほか、前後のパルスに注目したときの立ち上がり（立ち下がり）間のタイミングや、いくつか離れたパルスとの関係、対クロックや別の信号に対するタイミングなどのゆらぎを含み、ジッタ計測部４４で計測するジッタは、これらのうちのいずれであってもよい。ジッタ値が低いことは、高い情報読取性能を実現できていることを示し、ジッタ値が高いことは、情報読取性能が低いことを示す。処理装置２０は、ジッタ計測値が低いときには、高周波重畳制御を行わずにバッテリの消費電力を低減し、一方ジッタ計測値が高いときには、高周波重畳制御を行って、情報読取性能を向上させる機能をもつ。これにより、情報読取処理の確実性を高めることができるとともに、バッテリの省電力化を実現することが可能となる。
【００１９】
ジッタ計測部４４は、ジッタの複数のサンプリング値を平均化してジッタ計測値を算出し、メモリ（図示せず）に記録している前回のジッタ計測値を上書きして更新してもよい。ジッタの複数のサンプリング値（瞬時値）の平均値をジッタ計測値とすることで、サンプリング値のローパスフィルタ処理を可能とする。これにより、ジッタ値の算出精度を高めることができ、情報の読取状況に応じた重畳制御を実現できる。なお、以下、単に「ジッタ値」とよぶときは、ジッタのサンプリング値だけでなく、ジッタ平均値も含むものとする。
【００２０】
重畳制御部４６は、ジッタ計測部４４で計測したジッタ値に応じて、高周波重畳のオンオフ制御を行う。具体的に重畳制御部４６は、ジッタ値から読取性能が悪化したことを判定すると、高周波電流の重畳制御を実行させる重畳制御信号を生成して、高周波重畳回路２２に供給する。たとえば、重畳制御信号の供給周期は１／３３秒程度であってよい。
【００２１】
ジッタ計測部４４は、たとえば５ｍ秒のサンプリング周期でジッタを計測して、計測したジッタ値を同一の周期で重畳制御部４６に供給する。重畳制御部４６は、重畳制御信号の供給周期（１／３３秒）と同一の周期でジッタ値を参照し、参照したジッタ値に基づいて読取性能の判定を行ってもよい。この場合、ジッタ計測部４４は、上書き可能なメモリを保持し、ジッタ計測部４４から供給されるジッタ値が、このメモリに上書き記憶される。したがって、メモリには５ｍ秒ごとに更新される最新のジッタ値が記憶されることになり、重畳制御部４６は、所定の周期でメモリの記憶内容を参照して、読取性能の判定を行うことができる。ジッタ計測部４４は、メモリに記憶したジッタ値を、１／３３秒の周期で重畳制御部４６に供給してもよい。このようにジッタ値を利用することで、読取性能の判定を簡易に行うことができる。
【００２２】
また重畳制御部４６は、重畳制御信号の供給周期と同一の周期の間に供給されるジッタ値を平均処理し、その平均処理したジッタ値に基づいて読取性能の判定を行ってもよい。この場合、ジッタ計測部４４は、少なくとも一周期の間に供給される複数のジッタ値を記憶するメモリを保持し、記憶したジッタ値を平均処理する。このようにジッタ値を利用することで、読取性能の判定精度を高めることができる。
【００２３】
なお、この平均処理は、ジッタ計測部４４が実行してもよい。ジッタ計測部４４は、５ｍ秒のサンプリング周期でジッタを計測し、計測した値を平均処理してメモリに保持してもよい。この場合、重畳制御部４６は、所定の周期でメモリの記憶内容を参照して、読取性能の判定を行う。なおジッタ計測部４４は、メモリに記憶したジッタ値を、１／３３秒の周期で重畳制御部４６に供給してもよい。
【００２４】
高周波重畳回路２２は、供給された重畳制御信号をもとに、レーザダイオード３４の駆動電流に高周波電流を重畳させる。一方、重畳制御部４６は、ジッタ値から読取性能が高いことを判定すると、重畳制御信号の高周波重畳回路２２への供給を停止して、高周波重畳制御を実行させないようにする。これにより、実際の読取性能に応じて高周波電流の重畳のオンオフを動的に制御することが可能となり、必要なときにだけ高周波電流の重畳制御を行うことで、バッテリの消費電力を低減できる。また、読取性能が悪化した場合に、高周波電流の重畳制御を即座に実行することで、再生処理のリアルタイム性を損なわず、効率的な情報の読出処理を実行できる。
【００２５】
重畳制御部４６は、高周波重畳回路２２による高周波電流を駆動電流に重畳させるか否かを判定するための条件に利用するＯＮ閾値（ＴＨＯＮ）と、高周波電流の駆動電流への重畳を停止させるか否かを判定するための条件に利用するＯＦＦ閾値（ＴＨＯＦＦ）とを保持する（ＴＨＯＮ＞ＴＨＯＦＦ）。本実施例では、高周波重畳制御をオン（実行）させるための閾値であるＯＮ閾値ＴＨＯＮと、高周波重畳制御をオフ（停止）させるための閾値であるＯＦＦ閾値ＴＨＯＦＦとを利用することで、高周波重畳制御のオンオフが頻繁に発生する状況を回避する。
【００２６】
高周波重畳制御のオンオフの頻度が高くなると、高周波重畳回路２２が高周波電流を頻繁に出力することになり、消費電力が大きくなる。そこで本実施例では、重畳制御部４６が、２つの閾値ＴＨＯＮ、ＴＨＯＦＦを利用して、高周波重畳制御のオンオフのタイミングを決定することで、電力消費を抑える機能をもつ。
【００２７】
重畳制御部４６は、ジッタ値がＴＨＯＮ以下の値からＴＨＯＮより大きくなった場合に、高周波重畳回路２２に重畳制御信号を供給して、レーザダイオード３４の駆動電流に高周波電流を重畳させるように高周波重畳回路２２を制御する。これにより、読取性能が悪化したときに、すぐに読取性能を改善する制御を実行できる。
【００２８】
また重畳制御部４６は、ジッタ値がＴＨＯＦＦ以上の値からＴＨＯＦＦより小さくなり、且つＴＨＯＦＦより小さい値が所定回数計測された場合に、高周波電流の駆動電流への重畳を停止させるように高周波重畳回路２２を制御する。具体的に、重畳制御部４６は、ジッタ値がＴＨＯＦＦより小さくなるとＯＮタイマのタイマ値を所定値Ｔに設定し、その後、ジッタ値がＴＨＯＦＦより小さい値で更新されると、タイマ値を１だけ減算していく。タイマ値が０になると、重畳制御部４６は、高周波重畳回路２２に対して、重畳制御信号の供給を停止し、高周波重畳制御をオフにする。このように、重畳制御部４６は、ＯＮタイマを、重畳制御のオフタイミングを決定するために利用する。なお、ＯＮタイマをリセット（解除）したときのタイマ初期値は０である。
【００２９】
図２は、本実施例における高周波重畳制御のタイミングチャートを示す。図２（ａ）は、ジッタ計測部４４が計測するジッタ値の遷移例を示し、図２（ｂ）は、ＯＮタイマのタイマ値を示し、図２（ｃ）は、重畳制御のオンオフのタイミングを示す。図２（ａ）に示すジッタ値は、所定のサンプリング数分のジッタ値の瞬時値を平均化したジッタ平均値である。ジッタ計測部４４は、ジッタのサンプリング値を取得すると、それ以前に取得したジッタのサンプリング値からジッタ平均値を算出し、重畳制御部４６に供給する。
【００３０】
図３は、ジッタ平均値を４つのサンプリング値から算出する方法を説明するための図である。Ｊｎは、時間ｎにおいて取得されたジッタのサンプリング値を示す。
ジッタ計測部４４が、サンプリング値Ｊｍ＋３を取得すると、Ｊｍ＋３から過去に連続して取得した４つのサンプリング値を加算して４で割ることで、ジッタの平均値を取得する。したがって、このときの平均値は（Ｊｍ＋Ｊｍ＋１＋Ｊｍ＋２＋Ｊｍ＋３）／４となる。
同様に、ジッタ計測部４４がジッタ値Ｊｍ＋４を取得すると、Ｊｍ＋４から過去に連続して取得した４つのサンプリング値を加算して４で割ることで、平均値（Ｊｍ＋１＋Ｊｍ＋２＋Ｊｍ＋３＋Ｊｍ＋４）／４を取得する。以後、同様の処理によりジッタ値の平均化処理が行われる。以上のように、ジッタ計測部４４はジッタ平均値を算出し、重畳制御部４６に供給する。なお、平均化するサンプリング値の数は、４つに限定するものではなく、それ以外の数、たとえば１６個であってもよい。
【００３１】
なお、別の平均処理を行うことも可能である。上の例と同様に、ジッタ平均値を算出する方法を説明する。
時間ｍにおけるジッタ平均値をＡｍとする。ジッタ計測部４４が、時間ｍ＋１でサンプリング値Ｊｍ＋１を取得すると、その直前のジッタ平均値Ａｍを用いて、以下のように平均値Ａｍ＋１を算出する。
Ａｍ＋１＝Ｊｍ＋１×１／４＋Ａｍ×３／４
同様に、ジッタ計測部４４が、サンプリング値Ｊｍ＋２を取得すると、平均値Ａｍ＋２は、
Ａｍ＋２＝Ｊｍ＋２×１／４＋Ａｍ＋１×３／４
と算出される。なお、前回の平均値の重み付け係数を３／４、今回の計測値の重み付け係数を１／４に限定するものではなく、それ以外の係数、たとえば前回の平均値の重み付け係数を１５／１６、今回の計測値の重み付け係数を１／１６としてもよい。
【００３２】
図２（ａ）に示すジッタ値の遷移例では、ジッタ値が、時間ｔ０から次第に増大している。なお時間ｔ０において、重畳制御は実行されていない。ジッタ値は、時間ｔ１でＴＨＯＦＦに到達し、さらに時間ｔ２でＴＨＯＮに到達する。
【００３３】
重畳制御部４６は、ジッタ計測部４４から供給されるジッタ値を監視し、ジッタ値がＴＨＯＮより大きくなるか、またはＴＨＯＦＦより小さくなるかを判断する。ジッタ値がＴＨＯＮより大きくなるとは、ジッタ値が増大する過程でＴＨＯＮに到達して、ＴＨＯＮを超えることを意味し、ジッタ値がＴＨＯＦＦより小さくなるとは、ジッタ値が減少する過程でＴＨＯＦＦに到達して、ＴＨＯＦＦよりも下がることを意味する。
【００３４】
時間ｔ２で、重畳制御部４６が、ジッタ値がＴＨＯＮより大きくなったことを判定すると、ＯＮタイマを所定値Ｔにセットするとともに、重畳制御信号を高周波重畳回路２２に供給して、重畳制御を開始する。これにより、レーザダイオード３４の駆動電流に、高周波電流が重畳されて、ディスク２８の読取性能が改善される。この重畳制御により、時間ｔ２後、ジッタ値は少しだけ悪化した後、改善の方向に向かっていく。時間ｔ３で、ジッタ値がＴＨＯＮを下回るが、高周波重畳制御は引き続き実行され、ジッタ値はさらに減少していく。
【００３５】
時間ｔ４で、ジッタ値がＴＨＯＦＦより小さくなると、重畳制御部４６は、ＯＮタイマを所定値Ｔから１ずつデクリメントしていく。このデクリメント処理は、ジッタ値がＴＨＯＦＦを下回る値で更新されるたびに実行される。したがって、一度、ジッタ値がＴＨＯＦＦを下回った後、すぐに増加してＴＨＯＦＦ以上の値となった場合には、その時点のタイマ値でＯＮタイマの作動を一時停止し、再度ＴＨＯＦＦより小さくなれば、一時停止した時点のタイマ値をデクリメントしていく。
【００３６】
重畳制御部４６は、ＯＮタイマのタイマ値が０に到達するまで、重畳制御を継続して実行する。これにより、重畳制御を、少なくともタイマ値がＴから０に遷移するまでの間、確実に実行することができる。図２（ａ）に示すように、高周波電流を重畳してもジッタ値は一般にすぐには改善されないため、ＯＮタイマにより重畳制御のオン期間を確保することで、効果的な重畳制御を実現できる。
【００３７】
時間ｔ５で、ＯＮタイマのタイマ値が０に到達すると、重畳制御部４６は、高周波重畳回路２２に対する重畳制御信号の供給を停止する。これにより、高周波重畳制御が停止され、バッテリの省電力化を図ることができる。高周波重畳制御を停止すると、またジッタ値が増大していき、図２の例では、時間ｔ６でジッタ値がＴＨＯＦＦを超えていく様子が示される。
【００３８】
図２（ａ）に示すジッタ値の遷移図において、ＴＨＯＮは、重畳制御オフ時のジッタの水準値よりも大きい値に設定されることが好ましい。ここで、重畳制御オフ時のジッタ水準値とは、重畳制御を実行しない状態での読取処理において取得されるジッタの平均値を示す。通常の読取処理では、ジッタ値がＴＨＯＮを超えることはなく、したがって重畳制御は実行されず、省電力化を効率よく実現できる。
【００３９】
しかしながら、ディスク２８の情報読取面が汚れている場合や、持ち運び時などにディスク再生装置１０自体が動かされるような場合には、ジッタ値が通常時とは異なる大きな値をとることになる。このような場合は、ジッタ値がＴＨＯＮを超えることで、本実施例による重畳制御が開始されることになる。
【００４０】
また、ＴＨＯＦＦは、重畳制御オン時のジッタ水準値よりも大きい値に設定されることが好ましい。ここで、重畳制御オン時のジッタ水準値とは、重畳制御を実行した状態での読取処理において取得されるジッタの平均値を示す。これにより、重畳制御が開始されてジッタ値が低くなったときに、ジッタ値がＴＨＯＦＦを下回ることで、重畳制御の終了条件を構成するＯＮタイマのタイマ値をデクリメントしていくことが可能となる。このようなＴＨＯＮ、ＴＨＯＦＦを設定することで、重畳制御の実行時間を少なくでき、省電力化を実現することが可能となる。
【００４１】
図４は、ジッタ計測部４４による平均化処理の制御フローを示す。ジッタ計測部４４は、信号読取装置２４から所定のサンプリング周期で読取信号を取得する。図４に示す平均化処理は、信号読取装置２４から読取信号を取得するたびに実行される。
【００４２】
まずジッタ計測部４４は、ジッタ値を更新可能であるか否かを判定する（Ｓ１０）。この判定は、信号読取装置２４がディスク２８にアクセス中であるか否かに応じて実行される。アクセス中は、ジッタの瞬時値が極大となり、また記録情報の読出処理も行われていないため、ジッタ計測部４４は、ジッタ値の更新ができないことを判定する（Ｓ１０のＮ）。一方、アクセス中でなければ、ジッタ計測部４４は、ジッタ値の更新が可能であることを判定する（Ｓ１０のＹ）。
【００４３】
更新可能であることが判定されると（Ｓ１０のＹ）、ジッタ計測部４４は、ジッタのサンプリング値と、それ以前に取得したサンプリング値との平均化処理を実行する（Ｓ１２）。この平均化処理は、図３に関連して説明したように、直近の連続するサンプリングで取得した所定数のサンプリング値をもとに実行される。ジッタ計測部４４は、平均化処理によりジッタ値を算出すると、前回算出したジッタ値を、新たなジッタ平均値で上書きして更新する。このとき、ジッタ計測部４４は、更新済みフラグをオンに設定する（Ｓ１４）。更新済みフラグのオンは、読取信号に基づいてジッタ平均値が適切に更新されたことを示す。
【００４４】
一方、更新不能であることが判定されると（Ｓ１０のＮ）、ジッタ計測部４４は、ジッタ値を、ＯＮ閾値ＴＨＯＮに設定する（Ｓ１６）。これは、ディスク２８へのアクセス処理が終了して更新可能な状態になったときに、最初に取得されるジッタのサンプリング値がＴＨＯＮより大きくなると、平均化処理により算出されるジッタ値もＴＨＯＮより大きくなり、すみやかに高周波重畳制御に移行できるためである。これにより、信号読取装置２４の読取性能を向上させることが可能となる。
【００４５】
一方で、アクセス処理の終了直後のジッタ瞬時値がＴＨＯＮ以下の場合、算出されるジッタ値もＴＨＯＮ以下になるため、高周波重畳制御は実行されない。このように、アクセス終了直後の読取性能が高い場合には、高周波重畳制御を実行しないことで、消費電力を低減できる。
【００４６】
以上のように、ジッタ値をＯＮ閾値ＴＨＯＮに設定することで、ジッタ値を更新可能になったときのジッタ瞬時値に基づいて、重畳制御のオンオフを決定することが可能となる。それからジッタ計測部４４は、更新済みフラグをオフに設定する（Ｓ１８）。更新済みフラグのオフは、ジッタ平均値が所定値、すなわちＯＮ閾値ＴＨＯＮに設定されたことを示す。
【００４７】
図５は、重畳制御部４６による高周波重畳処理の制御フローを示す。重畳制御部４６は、ジッタ計測部４４により算出されたジッタ値をもとに、高周波重畳制御を実行する。
【００４８】
まず重畳制御部４６は、更新済みフラグをもとに、ジッタ値が更新されているか否かを確認する（Ｓ２０）。更新済みフラグがオンである場合（Ｓ２０のＹ）、ジッタ値が更新されていることを判定し、更新済みフラグがオフである場合（Ｓ２０のＮ）、ジッタ値の更新が停止されていることを判定する。ジッタ値の更新が停止されている場合、すなわちアクセス中は、重畳制御部４６は、ＯＮタイマのタイマ値を０にリセットする（Ｓ３８）。
【００４９】
ジッタ値が更新されている場合、重畳制御部４６は、ジッタ値がＴＨＯＮ以下であるか否かを判定する（Ｓ２２）。ジッタ値がＴＨＯＮより大きい場合（Ｓ２２のＮ）、重畳制御部４６は、高周波重畳制御を実行する必要があることを判定し、ＯＮタイマのタイマ値をＴに設定する（Ｓ３６）。
【００５０】
一方、ジッタ値がＴＨＯＮ以下の場合（Ｓ２２のＹ）、重畳制御部４６は、さらにジッタ値がＴＨＯＦＦより小さいか否かを判定する（Ｓ２４）。ジッタ値がＴＨＯＦＦより小さい場合（Ｓ２４のＹ）、重畳制御部４６は、タイマ値が０であるか否かを判定する（Ｓ２６）。
【００５１】
重畳制御部４６において、ＯＮタイマは、実行中の重畳制御を終了させるために作動される。したがって、タイマ値が０であれば（Ｓ２６のＹ）、重畳制御は実行されていないことを示し、タイマ値が０でなければ（Ｓ２６のＮ）、重畳制御が実行中で、且つ終了タイミングを定めるＯＮタイマが作動中であることを示す。タイマ値が０以外の値をとる場合、タイマ値は１だけデクリメントされる（Ｓ２８）。
【００５２】
ジッタ値がＴＨＯＦＦ以上であって、ＴＨＯＮ以下の場合（Ｓ２４のＮ）、１以上のタイマ値を１だけデクリメントした場合（Ｓ２８）、またＯＮタイマのタイマ値をＴに設定した場合（Ｓ３６）、またＯＮタイマのタイマ値を０にリセットした場合（Ｓ３８）、重畳制御部４６は、ＯＮタイマのタイマ値が０であるか否かを判定する（Ｓ３０）。タイマ値が０であれば（Ｓ３０のＹ）、重畳制御部４６は、重畳制御信号を高周波重畳回路２２に供給せず（Ｓ３４）、高周波重畳回路２２は高周波電流の重畳処理を実行しない（Ｓ４０）。一方で、タイマ値が０でなければ（Ｓ３０のＮ）、重畳制御部４６は、重畳制御信号を高周波重畳回路２２に供給して（Ｓ３２）、高周波重畳回路２２は高周波電流の重畳処理を実行する（Ｓ４０）。
【００５３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５４】
実施例では、重畳制御部４６がリアルタイムでジッタ値を監視して、重畳制御のオンオフを決定したが、ジッタ値が高いことが計測されたディスク２８中の領域を記憶し、その領域から情報を読み取るときに重畳制御を実行してもよい。たとえば重畳制御部４６は、そのような領域をセクタ番号などにより特定して記憶してもよい。ジッタ値が高くなる領域には、たとえば人の指紋などの汚れが存在しており、別のタイミングでその領域から情報を読み取る場合にもジッタ値が高くなることが想定される。したがって、以前に計測したジッタ値が高いディスク２８の領域の情報を読み取る際には、再度ジッタ値を計測することなく、重畳制御を実行するようにしてもよい。たとえば、ディスク２８がゲームプログラムを記録している場合、ゲームアプリケーションの進行状況により同じプログラムを複数回読み出すことがあるため、セクタ番号などでその領域を記憶しておくことで、効率よく重畳処理のオンオフを制御できる。
【００５５】
また、ＴＨＯＮやＴＨＯＦＦなどの閾値は、ディスク再生装置１０ごとに設定してもよい。既述したように、ＴＨＯＮやＴＨＯＦＦを、重畳制御のオフまたはオン時のジッタ水準値に基づいて設定する場合には、ディスク再生装置１０ごとにジッタ水準値を計測することで、個々のディスク再生装置１０に適した閾値を設定できる。
【００５６】
また、実施例では、ジッタ値をもとに重畳処理のオンオフを制御したが、たとえばブロックエラーレートをもとに重畳処理のオンオフを制御してもよく、また両者を併用して制御してもよい。
【図面の簡単な説明】
【００５７】
【図１】本発明の実施例にかかるディスク再生装置の構成を示す図である。
【図２】本実施例における高周波重畳制御のタイミングチャートを示す図である。
【図３】ジッタ平均値を４つのサンプリング値から算出する方法を説明するための図である。
【図４】ジッタ計測部による平均化処理の制御フローを示す図である。
【図５】重畳制御部による高周波重畳処理の制御フローを示す図である。
【符号の説明】
【００５８】
１０・・・ディスク再生装置、２０・・・処理装置、２２・・・高周波重畳回路、２４・・・信号読取装置、２６・・・駆動装置、２８・・・ディスク、３０・・・第１駆動部、３２・・・第２駆動部、３４・・・レーザダイオード、３６・・・光検出器、４０・・・信号再生部、４２・・・駆動制御部、４４・・・ジッタ計測部、４６・・・重畳制御部。
【図１】
0004748521.tif 000002
【図２】
0004748521.tif 000003
【図３】
0004748521.tif 000004
【図４】
0004748521.tif 000005
【図５】
0004748521.tif 000006